(57)【要約】【課題】本発明は、アンテナ装置が接触部を含むことによって、共振帯域のうち、少なくともいずれか一つを容易に調節できるだけでなく、アンテナ装置内の空間を効率的に用いることができるアンテナ装置を提供するためのものである。【解決手段】本発明は、接地部と接地部に向かって信号を供給するための給電部とを連結して形成される共振部と、給電部と接地部との間に配置される共振付加部と、共振部又は共振付加部うち、少なくともいずれか一つに配置される接触部とを含む給電構造体、及びそれを有するアンテナ装置を含む。【選択図】図１
2014147067.tif 000002
【特許請求の範囲】
【請求項１】
放射体と、
前記放射体に信号を供給するための給電部、前記放射体の接地のための接地部、及び前記給電部と接地部との間に配置される共振付加部を含む給電構造体と、
前記放射体と給電構造体とを連結する接触部と、
を含むことを特徴とする、アンテナ装置。
【請求項２】
前記接触部は、
前記給電構造体における前記接触部の位置又はサイズのうち、少なくともいずれか一つによって、前記給電構造体で決定される共振周波数帯域を調節することを特徴とする、請求項１に記載のアンテナ装置。
【請求項３】
前記接触部は、
前記給電部に配置される第１接触部と、
前記接地部又は共振付加部のうち、いずれか一つに配置される第２接触部と、
を含むことを特徴とする、請求項１又は２に記載のアンテナ装置。
【請求項４】
前記給電構造体における前記第１接触部と第２接触部との間の間隔によって、前記共振周波数帯域が調節されることを特徴とする、請求項３に記載のアンテナ装置。
【請求項５】
前記放射体と給電構造体との間で前記接触部の長さによって前記共振周波数帯域が調節されることを特徴とする、請求項２から４のいずれか一項に記載のアンテナ装置。
【請求項６】
前記第２接触部が前記共振付加部に配置され、
前記給電部と共振付加部とが相互に開放されることを特徴とする、請求項３から５のいずれか一項に記載のアンテナ装置。
【請求項７】
前記第２接触部が前記接地部に配置され、
前記共振付加部と接地部とが相互に開放されることを特徴とする、請求項３から６のいずれか一項に記載のアンテナ装置。
【請求項８】
前記接触部は、
前記接地部又は共振付加部のうち、他の一つに配置される第３接触部を更に含むことを特徴とする、請求項３から７のいずれか一項に記載のアンテナ装置。
【請求項９】
前記給電部と共振付加部とが相互に開放され、
前記共振付加部と接地部とが相互に開放されることを特徴とする、請求項８に記載のアンテナ装置。
【請求項１０】
接地部と前記接地部に向かって信号を供給するための給電部を連結して形成される共振部と、
前記給電部と接地部との間に配置される共振付加部と、
前記共振部又は共振付加部うち、少なくともいずれか一つに配置される接触部と、
を含むことを特徴とする給電構造体。
【発明の詳細な説明】
【技術分野】
【０００１】
本発明は通信端末機の構成に関し、特にアンテナ装置及びその給電構造体に関する。
【背景技術】
【０００２】
一般に、通信端末機は電磁波を送受信するためのアンテナ装置を備える。このようなアンテナ装置は、特定周波数帯域で共振して、該当周波数帯域の電磁波を送受信する。この際、該当周波数帯域で共振したとき、アンテナ装置のインピーダンスは虚数となる。そして、アンテナ装置に対する該当周波数帯域でのＳパラメータが急激に減少する。
【０００３】
このために、アンテナ装置は所望の周波数帯域に対応する波長λに対してλ／２の電気的長さを有する導線を備える。このようなアンテナ装置は、導線を通じて電磁波を伝送し、電磁波が導線で定常波を形成することによって、アンテナ装置で共振がなされる。この際、アンテナ装置は長さが相異する複数個の導線を備えることによって、共振周波数帯域を拡張することができる。
【０００４】
ところが、上記のようなアンテナ装置では共振周波数帯域に対応して導線の電気的長さが決定されるため、アンテナ装置のサイズが共振周波数帯域によって決定される。これによって、アンテナ装置で具現しようとする共振周波数帯域が低くなるほど、アンテナ装置のサイズが大型化する問題点がある。これは、アンテナ装置で導線の数が増加するほど、より深刻化する。すなわち、アンテナ装置で共振周波数帯域が拡張されるほど、アンテナ装置のサイズが大型化する問題点がある。
【発明の概要】
【発明が解決しようとする課題】
【０００５】
本発明の目的は、アンテナ装置において共振周波数帯域を容易に調節することにある。すなわち、本発明はアンテナ装置のサイズを大型化しなくても、アンテナ装置の共振周波数帯域を調節するためのものである。
【課題を解決するための手段】
【０００６】
上記の課題を解決するための本発明に従うアンテナ装置は、放射体と、放射体に信号を供給するための給電部、放射体の接地のための接地部、及び給電部と接地部との間に配置される共振付加部を含む給電構造体と、放射体と給電構造体とを連結する接触部とを含むことを特徴とする。
【０００７】
この際、本発明に従うアンテナ装置において、接触部は、給電構造体における接触部の位置又はサイズのうち、少なくともいずれか一つによって、給電構造体で決定される共振周波数帯域を調節する。
【０００８】
そして、本発明に従うアンテナ装置において、接触部は、給電部に配置される第１接触部と、接地部又は共振付加部のうち、いずれか一つに配置される第２接触部とを含む。
【０００９】
ここで、本発明に従うアンテナ装置において、第２接触部が共振付加部に配置され、給電部と共振付加部とが相互に開放される。
【００１０】
又は、本発明に従うアンテナ装置において、第２接触部が接地部に配置され、共振付加部と接地部とが相互に開放される。
【００１１】
また、本発明に従うアンテナ装置において、接触部は、接地部又は共振付加部のうち、他の一つに配置される第３接触部を更に含むことができる。
【００１２】
ここで、本発明に従うアンテナ装置において、給電部と共振付加部とが相互に開放され、共振付加部と接地部とが相互に開放される。
【００１３】
一方、上記の課題を解決するための本発明に従う給電構造体は、接地部と接地部に向かって信号を供給するための給電部とを連結して形成される共振部と、給電部と接地部との間に配置される共振付加部と、共振部又は共振付加部のうち、少なくともいずれか一つに配置される接触部とを含むことを特徴とする。
【００１４】
この際、本発明に従う給電構造体において、接触部は、接触部の位置又はサイズのうち、少なくともいずれか一つによって、共振部及び共振付加部で決定される共振周波数帯域を調節する。
【００１５】
そして、本発明に従う給電構造体において、接触部は、給電部に配置される第１接触部と、接地部又は共振付加部のうち、いずれか一つに配置される第２接触部を含む。
【００１６】
ここで、本発明に従う給電構造体において、第２接触部が共振付加部に配置され、給電部と共振付加部とが相互に開放されたり、第２接触部が接地部に配置され、共振付加部と接地部とが相互に開放されたりすることができる。
【００１７】
また、本発明に従う給電構造体において、接触部は、接地部又は共振付加部のうち、他の一つに配置される第３接触部を更に含むことができる。
【００１８】
ここで、本発明に従う給電構造体において、給電部と共振付加部とが相互に開放され、共振付加部と接地部とが相互に開放される。
【発明の効果】
【００１９】
本発明に従うアンテナ装置及びその給電構造体は、アンテナ装置の共振周波数帯域を容易に調節することができる。すなわち、アンテナ装置が共振付加部を含むことによって、複数個の共振帯域で動作することができる。そして、アンテナ装置がリアクタンス素子を含むことによって、共振帯域のうち、少なくともいずれか一つを容易に調節することができるだけでなく、アンテナ装置が接触部を含むことによって、共振帯域のうち、少なくともいずれか一つを容易に調節することができる。この際、接触部の位置又はサイズのうち、少なくともいずれか一つによって共振帯域のうち、少なくともいずれか一つが調節されるため、アンテナ装置内の空間を効率的に用いることができる。これによって、アンテナ装置のサイズを大型化しなくても、アンテナ装置の共振周波数帯域を調整することができる。
【図面の簡単な説明】
【００２０】
【図１】本発明の第１実施形態に従うアンテナ装置の分解斜視図である。
【図２】図１でＡ−Ａ’に沿って切断した断面を示す断面図である。
【図３】本発明の第１実施形態に従うアンテナ装置の動作特性を示すグラフである。
【図４】本発明の第２実施形態に従うアンテナ装置の分解斜視図である。
【図５】本発明の第３実施形態に従うアンテナ装置の分解斜視図である。
【図６】本発明の第４実施形態に従うアンテナ装置の分解斜視図である。
【図７】本発明の第５実施形態に従うアンテナ装置の分解斜視図である。
【発明を実施するための形態】
【００２１】
以下、添付した図面を参照して本発明の実施形態をより詳細に説明する。この際、添付した図面で同一な構成要素はできる限り同一の符号で表していることに留意しなければならない。そして、本発明の要旨を曖昧にすることがある公知機能及び構成に対する詳細な説明は省略する。
【００２２】
図１は、本発明の第１実施形態に従うアンテナ装置の分解斜視図である。そして、図２は図１でＡ−Ａ’に沿って切断した断面を示す断面図である。また、図３は本発明の第１実施形態に従うアンテナ装置の動作特性を図示するグラフである。
【００２３】
図１及び図２を参照すると、本実施形態のアンテナ装置１００は、駆動基板１１０、接地体１２０、アンテナ素子１３０、及び実装部材１７０を含む。
【００２４】
駆動基板１１０は、アンテナ装置１００において給電及び支持のために提供される。この際、駆動基板１１０は印刷回路基板（ＰＣＢ）でありうる。このような駆動基板１１０は平板構造を有する。ここで、駆動基板１１０は単一基板で具現してもよいし、複数個の基板を積層して具現してもよい。
【００２５】
そして、駆動基板１１０は接地領域１１１と共振領域１１３とに区分される。また、駆動基板１１０に、伝送線路（図示せず）が内在する。伝送線路は一端部を通じて制御モジュール（図示せず）に連結される。さらに、伝送線路は他端部を通じて共振領域１１３に露出される。すなわち、伝送線路は制御モジュールで信号を受信して、一端部から他端部に信号を伝達する。
【００２６】
また、駆動基板１１０は誘電体を含む。ここで、駆動基板１１０の導電率（σ）は０．０２でありうる。そして、駆動基板１１０の誘電率（ε）は４．４でありうる。さらに、駆動基板１１０の損失タンジェント（loss tangent）は０．０２でありうる。この際、伝送線路は導電性物質からなる。ここで、伝送線路は、銀（Ａｇ）、パラジウム（Ｐｄ）、白金（Ｐｔ）、銅（Ｇｕ）、金（Ａｕ）、ニッケル（Ｎｉ）のうち、少なくともいずれか一つを含むことができる。
【００２７】
接地体１２０はアンテナ装置１００で接地のために提供される。このような接地体１２０は駆動基板１１０に取り付けられる。この際、接地体１２０は接地領域１１１に配置される。ここで、接地体１２０は駆動基板１１０の下部面又は上部面のうち、少なくともいずれか一つに配置できる。又は、駆動基板１１０が複数個の基板からなる場合、接地体１２０は基板の間に配置することもできる。そして、接地体１２０は平板構造を有することができる。ここで、接地体１２０は接地領域１１１を全体的にカバーすることができる。又は、接地体１２０は接地領域１１１を部分的にカバーすることもできる。
【００２８】
アンテナ素子１３０はアンテナ装置１００で信号送受信のために提供される。この際、アンテナ素子１３０は共振周波数帯域で信号を送受信する。すなわち、アンテナ素子１３０は共振周波数帯域で動作して、電磁波を送受信する。ここで、アンテナ素子１３０は駆動基板１１０で信号が供給されることによって動作できる。そして、アンテナ素子１３０は予め定まったインピーダンスで共振する。
【００２９】
この際、アンテナ素子１３０の共振周波数帯域は複数個の共振帯域を含む。すなわち、共振周波数帯域は第１共振帯域及び第２共振帯域を含む。ここで、第１共振帯域は第２共振帯域と比較して相対的に低周波に該当することができる。言い換えると、第２共振帯域は第１共振帯域と比較して相対的に高周波に該当することができる。そして、第１共振帯域と第２共振帯域とは周波数上で相互に離隔してもよい。これによって、アンテナ素子１３０の共振周波数帯域は複数の周波数帯域に該当することができる。又は、第１共振帯域と第２共振帯域とは周波数上で相互結合してもよい。これによって、アンテナ素子１３０の共振周波数帯域は広周波数帯域に該当することができる。
【００３０】
このようなアンテナ素子１３０は駆動基板１１０に実装される。この際、アンテナ素子１３０は共振領域１１３に配置される。ここで、アンテナ素子１３０は駆動基板１１０の上部面に配置できる。そして、アンテナ素子１３０は共振領域１１３で伝送線路に接触する。また、アンテナ素子１３０は接地体１２０に接触する。ここで、アンテナ素子１３０は給電構造体１４０、接触部１５０、及び放射体１６０を含む。
【００３１】
給電構造体１４０は、アンテナ素子１３０で給電のために提供される。すなわち、給電構造体１４０は放射体１６０を動作させる。そして、給電構造体１４０は放射体１６０と共に動作する。この際、給電構造体１４０は放射体１６０に信号を供給する。また、給電構造体１４０は、放射体１６０で信号が伝達されるようにする。ここで、給電構造体１４０は、共振部１４１、共振付加部１４７、及びリアクタンス素子１４９を含む。
【００３２】
共振部１４１は、アンテナ素子１３０の共振周波数帯域で第１共振帯域を決定する。このような共振部１４１は、共振領域１１３で伝送線路に接触する。そして、共振部１４１は接地体１２０に接触する。また、共振部１４１は給電部１４３及び接地部１４５を含む。
【００３３】
給電部１４３は放射体１６０に信号を供給する。このような給電部１４３は、駆動基板１１０の伝送線路に接触する。この際、給電部１４３は一端部を通じて伝送線路に接触する。ここで、給電部１４３の一端部が給電点（Feeding Point；ＦＰ）と定義される。例えば、給電点は接地体１２０に近接した位置で、伝送線路に接触することができる。言い換えると、給電点は接地体１２０と接触しない。そして、給電部１４３は伝送線路から延びる。この際、給電部１４３は他端部を通じて延びる。ここで、給電部１４３は他端部で開放（open）される。これによって、給電部１４３は一端部から他端部に、放射体１６０に信号を供給する。また、給電部１４３は導電性物質からなる。ここで、給電部１４３は、銀（Ａｇ）、パラジウム（Ｐｄ）、白金（Ｐｔ）、銅（Ｇｕ）、金（Ａｕ）、ニッケル（Ｎｉ）のうち、少なくともいずれか一つを含むことができる。
【００３４】
接地部１４５は放射体１６０を接地させる。このような接地部１４５は、接地体１２０に接触する。この際、接地部１４５は一端部を通じて接地体１２０に接触する。ここで、接地部１４５の一端部が接地点と定義される。そして、接地部１４５は接地体１２０から延びる。この際、接地部１４５は他端部を通じて延びる。これによって、接地部１４５は他端部から一端部に、接地体１２０に向かって信号が伝達されるようにする。また、接地部１４５は導電性物質からなる。ここで、接地部１４５は、銀（Ａｇ）、パラジウム（Ｐｄ）、白金（Ｐｔ）、銅（Ｇｕ）、金（Ａｕ）、ニッケル（Ｎｉ）のうち、少なくともいずれか一つを含むことができる。
【００３５】
共振付加部１４７は、アンテナ素子１３０の共振周波数帯域に第２共振帯域を付加する。すなわち、共振付加部１４７はアンテナ素子１３０の共振周波数帯域で第２共振帯域を決定する。このような共振付加部１４７は、共振部１４１で給電部１４３と接地部１４５との間に配置される。この際、共振付加部１４７は給電部１４３から開放される。そして、共振付加部１４７は接地部１４５に連結される。言い換えると、給電部１４３と共振付加部１４７とが相互に開放され、給電部１４３と接地部１４５とが相互に開放される。これによって、共振部１４１から共振付加部１４７に信号が流入する。
【００３６】
そして、共振付加部１４７は接地体１２０に連結される。この際、共振付加部１４７は一端部を通じて接地体１２０に連結される。ここで、共振付加部１４７は一端部を通じて接地体１２０に接触することができる。また、共振付加部１４７は接地体１２０から延びる。この際、共振付加部１４７は他端部を通じて接地体１２０から延びる。ここで、共振付加部１４７は他端部を通じて接地部１４５に連結される。これによって、共振付加部１４７が他端部から一端部に接地される。
【００３７】
また、共振付加部１４７は導電性物質を含む。ここで、共振付加部１４７は、銀（Ａｇ）、パラジウム（Ｐｄ）、白金（Ｐｔ）、銅（Ｇｕ）、金（Ａｕ）、ニッケル（Ｎｉ）のうち、少なくともいずれか一つを含むことができる。
【００３８】
リアクタンス素子１４９は、アンテナ素子１３０において共振周波数帯域の調節のために提供される。すなわち、リアクタンス素子１４９はアンテナ素子１３０の電気的特性を調節する。この際、リアクタンス素子１４９は予め決定されるリアクタンスを有する。すなわち、リアクタンス素子１４９はリアクタンスによって、アンテナ素子１３０の電気的特性を調節する。そして、リアクタンス素子１４９は容量性素子又は誘導性素子のうち、少なくともいずれか一つを含む。ここで、容量性素子はコンデンサであってもよいし、誘導性素子はインダクタであってもよい。このようなリアクタンス素子１４９は共振付加部１４７に配置される。
【００３９】
接触部１５０は、アンテナ素子１３０において給電構造体１４０と放射体１６０との連結のために提供される。すなわち、接触部１５０は給電構造体１４０と放射体１６０との間に介在する。この際、接触部１５０は、給電構造体１４０が配置される平面から突出する。すなわち、接触部１５０は給電構造体１４０から放射体１６０に延びる。ここで、接触部１５０は一端部を通じて給電構造体１４０に接触する。そして、接触部１５０は他端部を通じて延びる。また、接触部１５０は他端部を通じて放射体１６０に接触する。
【００４０】
そして、接触部１５０は給電構造体１４０及び放射体１６０と共に動作する。この際、接触部１５０は給電構造体１４０から放射体１６０に信号を伝達する。また、接触部１５０はアンテナ素子１３０で共振周波数帯域を調節する。すなわち、接触部１５０はアンテナ素子１３０の電気的特性を調節する。この際、接触部１５０は予め決定されるサイズ、すなわち長さ及び断面積を有する。ここで、接触部１５０の長さは給電構造体１４０から放射体１６０に延びる方向によって決定される。さらに、接触部１５０の断面積は給電構造体１４０から放射体１６０に延びる方向に垂直に決定される。言い換えると、接触部１５０は長さ及び断面積によってアンテナ素子１３０の電気的特性を調節する。
【００４１】
このような接触部１５０は、共振部１４１及び共振付加部１４７に配置される。この際、接触部１５０は、第１接触部１５１及び第２接触部１５３を含む。第１接触部１５１は共振部１４１に配置される。ここで、第１接触部１５１は給電部１４３に配置される。すなわち、第１接触部１５１は給電部１４３の給電点と共振付加部１４７との間に配置される。第２接触部１５３は、共振付加部１４７に配置される。ここで、第２接触部１５３は、共振付加部１４７で共振部１４１とリアクタンス素子１４９との間に配置できる。又は、図示してはいないが、第２接触部１５３は共振付加部１４７で接地体１２０とリアクタンス素子１４９との間に配置することもできる。又は、図示してはいないが、接触部１５０が複数個の第２接触部１５３を含んで、第２接触部１５３が共振付加部１４７でリアクタンス素子１４９の両端部に配置されてもよい。
【００４２】
また、接触部１５０は導電性物質を含む。ここで、接触部１５０は、銀（Ａｇ）、パラジウム（Ｐｄ）、白金（Ｐｔ）、銅（Ｇｕ）、金（Ａｕ）、ニッケル（Ｎｉ）のうち、少なくともいずれか一つを含むことができる。さらに、接触部１５０はピン（pin）タイプで形成できる。又は、接触部１５０はＣ−クリップ（C-clip）で形成できる。
【００４３】
放射体１６０はアンテナ素子１３０で実質的な動作のために提供される。この際、給電構造体１４０から信号が供給されると、放射体１６０は共振周波数帯域で動作する。ここで、放射体１６０は、接地体１２０、給電構造体１４０、及び接触部１５０と共に動作する。このような放射体１６０は接触部１５０に接触する。ここで、放射体１６０は接触部１５０の他端部に接触する。そして、放射体１６０は接触部１５０を通じて給電構造体１４０に連結される。この際、放射体１６０は共振部１４１及び共振付加部１４７に連結される。また、放射体１６０は導電性物質からなる。ここで、放射体１６０は、銀（Ａｇ）、パラジウム（Ｐｄ）、白金（Ｐｔ）、銅（Ｇｕ）、金（Ａｕ）、ニッケル（Ｎｉ）のうち、少なくともいずれか一つを含むことができる。
【００４４】
実装部材１７０は、アンテナ装置１００において放射体１６０の支持のために提供される。すなわち、放射体１６０が実装部材１７０に実装されることによって、実装部材１７０が放射体１６０を支持する。この際、図示してはいないが、アンテナ装置１００が通信端末機（図示せず）に取り付けられる場合、実装部材１７０が通信端末機の外部ケースの内部表面に取付できる。ここで、通信端末機の外部ケースによって形成される内部空間に駆動基板１１０が配置できる。
【００４５】
このような実装部材１７０は、駆動基板１１０に対応して配置される。ここで、実装部材１７０は駆動基板１１０の共振領域１１３に対応して配置される。そして、実装部材１７０は接触部１５０によって駆動基板１１０又は給電構造体１４０から離隔する。また、実装部材１７０は下部面１７１、下部面１７１に対応する上部面１７３、及び下部面１７１と上部面１７３とを連結する側部面１７５を含む。ここで、実装部材１７０は上部面１７３を通じて通信端末機の外部ケースに取付けることができる。
【００４６】
この際、放射体１６０は実装部材１７０の下部面１７１に取付けてもよい。又は、図示してはいないが、放射体１６０が実装部材１７０の上部面１７３に取付けてもよい。ここで、放射体１６０が通信端末機の外部ケースと実装部材１７０との間に介在してもよい。そして、放射体１６０は実装部材１７０の側部面１７５に沿って下部面１７１に延長できる。一方、放射体１６０は実装部材１７０を貫通して下部面１７１に延長できる。これによって、放射体１６０は接触部１５０に接触できる。
【００４７】
これによって、給電構造体１４０、接触部１５０、及び放射体１６０が共に動作する。この際、駆動基板１１０から信号が印加されると、給電構造体１４０で信号が伝達される。そして、給電構造体１４０から放射体１６０に信号が供給される。ここで、給電部１４３が第１接触部１５１に信号を伝達し、第１接触部１５１が放射体１６０に信号を伝達する。また、放射体１６０から給電構造体１４０に信号が伝達される。ここで、放射体１６０が第２接触部１５３に信号を伝達し、第２接触部１５３が接地部１４５及び共振付加部１４７に信号を伝達する。これによって、アンテナ素子１３０で２つの共振ループ、すなわち第１共振ループと第２共振ループが形成される。
【００４８】
第１共振ループは、共振部１４１及び接触部１５０によって形成される。すなわち、第１共振ループは、給電部１４３、接地部１４５、第１接触部１５１、及び第２接触部１５３を含む。そして、第１共振ループがアンテナ素子１３０の共振周波数帯域で第１共振帯域を決定する。この際、第１共振ループのサイズによって第１共振帯域が決定される。ここで、第１共振ループのサイズは、給電部１４３及び接地部１４５のサイズ、給電構造体１４０における第１接触部１５１及び第２接触部１５３の位置及びサイズによって決定される。これによって、第１接触部１５１と第２接触部１５３との間の間隔又は第１接触部１５１及び第２接触部１５３の長さ及び断面積のうち、少なくともいずれか一つによって第１共振帯域が調節できる。
【００４９】
第２共振ループは、接地部１４５、共振付加部１４７、リアクタンス素子１４９、及び第２接触部１５３によって形成される。すなわち、第２共振ループは、接地部１４５、共振付加部１４７、リアクタンス素子１４９、及び第２接触部１５３を含む。そして、第２共振ループがアンテナ素子１３０の共振周波数帯域で第２共振帯域を決定する。この際、第２共振ループのサイズ及びリアクタンス素子１４９のリアクタンスによって第２共振帯域が決定される。ここで、第２共振ループのサイズは、接地部１４５及び共振付加部１４７のサイズ、第２接触部１５３の位置及びサイズによって決定される。これによって、第２接触部１５３の長さ及び断面積によって第２共振帯域が調節できる。
【００５０】
これによって、アンテナ装置１００は予め決定された共振周波数帯域で動作する。例えば、アンテナ装置１００は図３に示すような動作特性を有することができる。すなわち、アンテナ装置１００は第１共振ループによって第１共振帯域で共振する。ここで、第１共振帯域が第１共振ループによって決定される。そして、アンテナ装置１００は第２共振ループによって第２共振帯域で共振する。ここで、第２共振帯域が第２共振ループによって決定される。この際、第１接触部１５１及び第２接触部１５３の位置及びサイズが初期決定されることによって、第１共振帯域及び第２共振帯域が決定される。
【００５１】
そして、接触部１５０の位置又はサイズのうち、少なくともいずれか一つが調節されると、第１共振帯域又は第２共振帯域のうち、少なくともいずれか一つが調節できる。この際、第１接触部１５１と第２接触部１５３との間隔が調節されると、第１共振帯域又は第２共振帯域のうち、少なくともいずれか一つが調節できる。そして、第１接触部１５１及び第２接触部１５３の長さ及び断面積が調節されると、第１共振帯域又は第２共振帯域のうち、少なくともいずれか一つが調節できる。すなわち、アンテナ装置１００の動作性能を維持しながら第１共振帯域又は第２共振帯域のうち、少なくともいずれか一つを調節できる。ここで、第１共振帯域又は第２共振帯域のうち、少なくともいずれか一つをより低周波帯域に調節してもよいし、より高周波帯域に調節してもよい。
【００５２】
図４は、本発明の第２実施形態に従うアンテナ装置の分解斜視図である。
【００５３】
図４を参照すると、本実施形態のアンテナ装置２００は、駆動基板２１０、接地体２２０、アンテナ素子２３０、及び実装部材２７０を含む。そして、アンテナ素子２３０は、給電構造体２４０、接触部２５０、及び放射体２６０を含む。また、給電構造体２４０は、共振部２４１、共振付加部２４７、及びリアクタンス素子２４９を含む。また、共振部２４１は給電部２４３及び接地部２４５を含む。この際、本実施形態で各々の構成は前述した実施形態の対応する構成と類似しているので、詳細な説明を省略する。
【００５４】
ただし、本実施形態のアンテナ装置２００において、給電部２４３と共振付加部２４７とが連結される。すなわち、給電部２４３と共振付加部２４７とが相互に開放されない。ここで、給電部２４３の他端部と共振付加部２４７の他端部とが連結される。これに反して、接地部２４５と共振付加部２４７とが相互に開放される。ここで、接地部２４５が他端部から開放される。言い換えると、給電部２４３と接地部２４５とが相互に開放され、接地部２４５と共振付加部２４７とが相互に開放される。
【００５５】
そして、リアクタンス素子２４９は共振付加部２４７に配置される。このようなリアクタンス素子２４９は、アンテナ素子２３０で共振周波数帯域を調節する。すなわち、リアクタンス素子２４９はアンテナ素子２３０の電気的特性を調節する。この際、リアクタンス素子２４９は予め決定されるリアクタンスを有する。すなわち、リアクタンス素子２４９はリアクタンスによってアンテナ素子２３０の電気的特性を調節する。そして、リアクタンス素子２４９は容量性素子又は誘導性素子のうち、少なくともいずれか一つを含む。ここで、容量性素子はコンデンサであってもよいし、誘導性素子はインダクタであってもよい。
【００５６】
また、接触部２５０は共振部２４１に配置される。言い換えると、接触部２５０は共振付加部２４７に配置されない。この際、接触部２５０は、第１接触部２５１及び第２接触部２５３を含む。第１接触部２５１及び第２接触部２５３は共振部２４１に個別的に配置される。ここで、第１接触部２５１は給電部２４３に配置される。また、第２接触部２５３は接地部２４５に配置される。すなわち、第２接触部２５３は共振付加部２４７と接地部２４５の接地点との間に配置される。
【００５７】
これによって、給電構造体２４０、接触部２５０、及び放射体２６０が共に動作する。すなわち、アンテナ素子２３０において、２つの共振ループ、すなわち第１共振ループ及び第２共振ループが形成される。
【００５８】
第１共振ループは、共振部２４１、接触部２５０によって形成される。すなわち、第１共振ループは、給電部２４３、接地部２４５、第１接触部２５１、及び第２接触部２５３を含む。そして、第１共振ループがアンテナ素子２３０の共振周波数帯域で第１共振帯域を決定する。この際、第１共振ループのサイズによって第１共振帯域が決定される。ここで、第１共振ループのサイズは給電部２４３及び接地部２４５のサイズ、給電構造体２４０における第１接触部２５１及び第２接触部２５３の位置及びサイズによって決定される。これによって、第１接触部２５１と第２接触部２５３との間の間隔又は第１接触部２５１及び第２接触部２５３の長さ及び断面積のうち、少なくともいずれか一つによって第１共振帯域が調節できる。
【００５９】
第２共振ループは、接地部２４５、共振付加部２４７、リアクタンス素子２４９、及び第２接触部２５３により形成される。すなわち、第２共振ループは、接地部２４５、共振付加部２４７、リアクタンス素子２４９、及び第２接触部２５３を含む。そして、第２共振ループがアンテナ素子２３０の共振周波数帯域で第２共振帯域を決定する。この際、第２共振ループのサイズ及びリアクタンス素子２４９のリアクタンスによって第２共振帯域が決定される。ここで、第２共振ループのサイズは接地部２４５及び共振付加部２４７のサイズ、第２接触部２５３の位置及びサイズによって決定される。これによって、第２接触部２５３の長さ及び断面積によって第２共振帯域が調節できる。
【００６０】
これによって、アンテナ装置２００は予め決定された共振周波数帯域で動作する。すなわち、アンテナ装置２００は第１共振ループによって第１共振帯域で共振する。ここで、第１共振帯域が第１共振ループによって決定される。そして、アンテナ装置２００は第２共振ループによって第２共振帯域で共振する。ここで、第２共振帯域が第２共振ループによって決定される。この際、第１接触部２５１及び第２接触部２５３の位置及びサイズが初期決定されることによって、第１共振帯域及び第２共振帯域が決定される。
【００６１】
そして、接触部２５０の位置又はサイズのうち、少なくともいずれか一つが調節されると、第１共振帯域又は第２共振帯域のうち、少なくともいずれか一つが調節できる。この際、第１接触部２５１と第２接触部２５３との間隔が調節されると、第１共振帯域又は第２共振帯域のうち、少なくともいずれか一つが調節できる。そして、第１接触部２５１及び第２接触部２５３の長さ及び断面積が調節されると、第１共振帯域又は第２共振帯域のうち、少なくともいずれか一つが調節できる。すなわち、アンテナ装置２００の動作性能を維持しながら、第１共振帯域又は第２共振帯域のうち、少なくともいずれか一つを調節できる。ここで、第１共振帯域又は第２共振帯域のうち、少なくともいずれか一つをより低周波帯域に調節してもよいし、より高周波帯域に調節してもよい。
【００６２】
図５は、本発明の第３実施形態に従うアンテナ装置の分解斜視図である。
【００６３】
図５を参照すると、本実施形態のアンテナ装置３００は、駆動基板３１０、接地体３２０、アンテナ素子３３０、及び実装部材３７０を含む。そして、アンテナ素子３３０は、給電構造体３４０、接触部３５０、及び放射体３６０を含む。また、給電構造体３４０は、共振部３４１、共振付加部３４７、及びリアクタンス素子３４９を含む。また、共振部３４１は給電部３４３及び接地部３４５を含む。この際、本実施形態で各々の構成は前述した実施形態の対応する構成と類似しているので、詳細な説明を省略する。
【００６４】
ただし、本実施形態のアンテナ装置３００において、給電部３４３と共振付加部３４７とが相互に開放される。ここで、給電部３４３が他端部で開放される。そして、接地部３４５と共振付加部３４７とが連結される。すなわち、接地部３４５と共振付加部３４７とが相互に開放されない。ここで、接地部３４５の他端部と共振付加部３４７の他端部とが連結される。言い換えると、給電部３４３と共振付加部３４７とが相互に開放され、給電部３４３と接地部３４５とが相互に開放される。
【００６５】
そして、リアクタンス素子３４９は接地部３４５に配置される。すなわち、リアクタンス素子３４９は共振付加部３４７と接地部３４５の接地点との間に配置される。このようなリアクタンス素子３４９は、アンテナ素子３３０において共振周波数帯域を調節する。すなわち、リアクタンス素子３４９はアンテナ素子３３０の電気的特性を調節する。この際、リアクタンス素子３４９は予め決定されるリアクタンスを有する。すなわち、リアクタンス素子３４９はリアクタンスによって、アンテナ素子３３０の電気的特性を調節する。そして、リアクタンス素子３４９は容量性素子又は誘導性素子のうち、少なくともいずれか一つを含む。ここで、容量性素子はコンデンサであってもよいし、誘導性素子はインダクタであってもよい。
【００６６】
また、接触部３５０は共振部３４１及び共振付加部３４７に配置される。この際、接触部３５０は、第１接触部３５１及び第２接触部３５３を含む。第１接触部３５１は、共振部３４１に配置される。ここで、第１接触部３５１は給電部３４３に配置される。すなわち、第１接触部３５１は給電部３４３の給電点と共振付加部３４７との間に配置される。また、第２接触部３５３は共振付加部３４７に配置される。
【００６７】
これによって、給電構造体３４０、接触部３５０、及び放射体３６０が共に動作する。すなわち、アンテナ素子３３０において、２つの共振ループ、すなわち第１共振ループ及び第２共振ループが形成される。
【００６８】
第１共振ループは、共振部３４１、リアクタンス素子３４９、及び接触部３５０によって形成される。すなわち、第１共振ループは、給電部３４３、接地部３４５、リアクタンス素子３４９、第１接触部３５１、及び第２接触部３５３を含む。そして、第１共振ループがアンテナ素子３３０の共振周波数帯域で第１共振帯域を決定する。この際、第１共振ループのサイズ及びリアクタンス素子３４９のリアクタンスによって第１共振帯域が決定される。ここで、第１共振ループのサイズは給電部３４３及び接地部３４５のサイズ、給電構造体３４０における第１接触部３５１及び第２接触部３５３の位置及びサイズによって決定される。これによって、第１接触部３５１と第２接触部３５３との間の間隔又は第１接触部３５１及び第２接触部３５３の長さ及び断面積のうち、少なくともいずれか一つによって第１共振帯域が調節できる。
【００６９】
第２共振ループは、接地部３４５、共振付加部３４７、リアクタンス素子３４９、及び第２接触部３５３によって形成される。すなわち、第２共振ループは、接地部３４５、共振付加部３４７、リアクタンス素子３４９、及び第２接触部３５３を更に含む。そして、第２共振ループがアンテナ素子３３０の共振周波数帯域で第２共振帯域を決定する。この際、第２共振ループのサイズ及びリアクタンス素子３４９のリアクタンスによって第２共振帯域が決定される。ここで、第２共振ループのサイズは接地部３４５及び共振付加部３４７のサイズ、第２接触部３５３の位置及びサイズによって決定される。これによって、第２接触部３５３の長さ及び断面積によって第２共振帯域が調節できる。
【００７０】
これによって、アンテナ装置３００は予め決定された共振周波数帯域で動作する。すなわち、アンテナ装置３００は第１共振ループによって第１共振帯域で共振する。ここで、第１共振帯域が第１共振ループによって決定される。そして、アンテナ装置３００は第２共振ループによって第２共振帯域で共振する。ここで、第２共振帯域が第２共振ループによって決定される。この際、第１接触部３５１及び第２接触部３５３の位置及びサイズが初期決定されることによって、第１共振帯域及び第２共振帯域が決定される。
【００７１】
そして、接触部３５０の位置又はサイズのうち、少なくともいずれか一つが調節されると、第１共振帯域又は第２共振帯域のうち、少なくともいずれか一つが調節できる。この際、第１接触部３５１と第２接触部３５３との間隔が調節されると、第１共振帯域又は第２共振帯域のうち、少なくともいずれか一つが調節できる。そして、第１接触部３５１及び第２接触部３５３の長さ及び断面積が調節されると、第１共振帯域又は第２共振帯域のうち、少なくともいずれか一つが調節できる。すなわち、アンテナ装置３００の動作性能を維持しながら、第１共振帯域又は第２共振帯域のうち、少なくともいずれか一つを調節できる。ここで、第１共振帯域又は第２共振帯域のうち、少なくともいずれか一つをより低周波帯域に調節してもよいし、より高周波帯域に調節してもよい。
【００７２】
図６は、本発明の第４実施形態に従うアンテナ装置の分解斜視図である。
【００７３】
図６を参照すると、本実施形態のアンテナ装置４００は、駆動基板４１０、接地体４２０、アンテナ素子４３０、及び実装部材４７０を含む。そして、アンテナ素子４３０は、給電構造体４４０、接触部４５０、及び放射体４６０を含む。また、給電構造体４４０は、共振部４４１、共振付加部４４７、及びリアクタンス素子４４９を含む。さらに、共振部４４１は給電部４４３及び接地部４４５を含む。この際、本実施形態における各々の構成は前述した実施形態の対応する構成と類似しているので、詳細な説明を省略する。
【００７４】
ただし、本実施形態のアンテナ装置４００において、給電部４４３と共振付加部４４７とが連結される。すなわち、給電部４４３と共振付加部４４７とが相互に開放されない。ここで、給電部４４３の他端部と共振付加部４４７の他端部とが連結される。これに反して、接地部４４５と共振付加部４４７とが相互に開放される。ここで、接地部４４５が他端部で開放される。言い換えると、給電部４４３と接地部４４５とが相互から開放され、接地部４４５と共振付加部４４７とが相互に開放される。
【００７５】
そして、リアクタンス素子４４９は接地部４４５に配置される。すなわち、リアクタンス素子４４９は共振付加部４４７と接地部４４５の接地点との間に配置される。このようなリアクタンス素子４４９は、アンテナ素子４３０で共振周波数帯域を調節する。すなわち、リアクタンス素子４４９はアンテナ素子４３０の電気的特性を調節する。この際、リアクタンス素子４４９は予め決定されるリアクタンスを有する。すなわち、リアクタンス素子４４９はリアクタンスによってアンテナ素子４３０の電気的特性を調節する。そして、リアクタンス素子４４９は容量性素子又は誘導性素子のうち、少なくともいずれか一つを含む。ここで、容量性素子はコンデンサであってもよいし、誘導性素子はインダクタであってもよい。
【００７６】
また、接触部４５０は共振部４４１に配置される。言い換えると、接触部４５０は共振付加部４４７に配置されない。この際、接触部４５０は、第１接触部４５１及び第２接触部４５３を含む。第１接触部４５１及び第２接触部４５３は共振部４４１に個別的に配置される。ここで、第１接触部４５１は給電部４４３に配置される。また、第２接触部４５３は接地部４４５に配置される。例えば、第２接触部４５３は接地部４４５で共振付加部４４７とリアクタンス素子４４９との間に配置できる。又は、図示してはいないが、第２接触部４５３は接地部４４５で接地体４２０とリアクタンス素子４４９との間に配置することもできる。又は、図示してはいないが、接触部４５０が複数個の第２接触部４５３を含んで、第２接触部４５３が接地部４４５でリアクタンス素子４４９の両端部に配置されてもよい。
【００７７】
これによって、給電構造体４４０、接触部４５０、及び放射体４６０が共に動作する。すなわち、アンテナ素子４３０において、２つの共振ループ、すなわち第１共振ループ及び第２共振ループが形成される。
【００７８】
第１共振ループは、共振部４４１、リアクタンス素子４４９、及び接触部４５０によって形成される。すなわち、第１共振ループは、給電部４４３、接地部４４５、リアクタンス素子４４９、第１接触部４５１、及び第２接触部４５３を含む。そして、第１共振ループがアンテナ素子４３０の共振周波数帯域で第１共振帯域を決定する。この際、第１共振ループのサイズ及びリアクタンス素子４４９のリアクタンスによって第１共振帯域が決定される。ここで、第１共振ループのサイズは給電部４４３及び接地部４４５のサイズ、給電構造体４４０における第１接触部４５１及び第２接触部４５３の位置及びサイズによって決定される。これによって、第１接触部４５１と第２接触部４５３との間の間隔又は第１接触部４５１及び第２接触部４５３の長さ及び断面積のうち、少なくともいずれか一つによって第１共振帯域が調節できる。
【００７９】
第２共振ループは、接地部４４５、共振付加部４４７、リアクタンス素子４４９、及び第２接触部４５３によって形成される。すなわち、第２共振ループは、接地部４４５、共振付加部４４７、リアクタンス素子４４９、及び第２接触部４５３を含む。そして、第２共振ループがアンテナ素子４３０の共振周波数帯域で第２共振帯域を決定する。この際、第２共振ループのサイズ及びリアクタンス素子４４９のリアクタンスによって第２共振帯域が決定される。ここで、第２共振ループのサイズは接地部４４５及び共振付加部４４７のサイズ、第２接触部４５３の位置及びサイズによって決定される。これによって、第２接触部４５３の長さ及び断面積によって第２共振帯域が調節できる。
【００８０】
これによって、アンテナ装置４００は予め決定された共振周波数帯域で動作する。すなわち、アンテナ装置４００は第１共振ループによって第１共振帯域で共振する。ここで、第１共振帯域が第１共振ループによって決定される。そして、アンテナ装置４００は第２共振ループによって第２共振帯域で共振する。ここで、第２共振帯域が第２共振ループによって決定される。この際、第１接触部４５１及び第２接触部４５３の位置及びサイズが初期決定されることによって、第１共振帯域及び第２共振帯域が決定される。
【００８１】
そして、接触部４５０の位置又はサイズのうち、少なくともいずれか一つが調節されると、第１共振帯域又は第２共振帯域のうち、少なくともいずれか一つが調節できる。この際、第１接触部４５１と第２接触部４５３との間隔が調節されると、第１共振帯域又は第２共振帯域のうち、少なくともいずれか一つが調節できる。そして、第１接触部４５１と第２接触部４５３の長さ及び断面積が調節されると、第１共振帯域又は第２共振帯域のうち、少なくともいずれか一つが調節できる。すなわち、アンテナ装置４００の動作性能を維持しながら、第１共振帯域又は第２共振帯域のうち、少なくともいずれか一つを調節できる。ここで、第１共振帯域又は第２共振帯域のうち、少なくともいずれか一つをより低周波帯域に調節してもよいし、より高周波帯域に調節してもよい。
【００８２】
図７は、本発明の第５実施形態に従うアンテナ装置の分解斜視図である。
【００８３】
図７を参照すると、本実施形態のアンテナ装置５００は、駆動基板５１０、接地体５２０、アンテナ素子５３０、及び実装部材５７０を含む。そして、アンテナ素子５３０は、給電構造体５４０、接触部５５０、及び放射体５６０を含む。また、給電構造体５４０は、共振部５４１、共振付加部５４７、及びリアクタンス素子５４９を含む。さらに、共振部５４１は給電部５４３及び接地部５４５を含む。この際、本実施形態における各々の構成は前述した実施形態の対応する構成と類似しているので、詳細な説明を省略する。
【００８４】
ただし、本実施形態のアンテナ装置５００において、給電部５４３と共振付加部５４７とが相互に開放される。そして、接地部５４５と共振付加部５４７とが相互に開放される。また、給電部５４３と接地部５４５とが相互に開放される。ここで、給電部５４３、接地部５４５、及び共振付加部５４７が各々の他端部で個別的に開放される。
【００８５】
そして、リアクタンス素子５４９は共振付加部５４７に配置される。このようなリアクタンス素子５４９は、アンテナ素子５３０で共振周波数帯域を調節する。すなわち、リアクタンス素子５４９はアンテナ素子５３０の電気的特性を調節する。この際、リアクタンス素子５４９は予め決定されるリアクタンスを有する。すなわち、リアクタンス素子５４９はリアクタンスによってアンテナ素子５３０の電気的特性を調節する。そして、リアクタンス素子５４９は容量性素子又は誘導性素子のうち、少なくともいずれか一つを含む。ここで、容量性素子はコンデンサであってもよいし、誘導性素子はインダクタであってもよい。
【００８６】
また、接触部５５０は共振部５４１及び共振付加部５４７に配置される。この際、接触部５５０は、第１接触部５５１、第２接触部５５３、及び第３接触部５５５を含む。第１接触部５５１は、給電部５４３に配置される。すなわち、第１接触部５５１は給電部５４３の給電点と共振付加部５４７との間に配置される。また、第２接触部５５３は接地部５４５に配置され、第３接触部５５５は共振付加部５４７に配置される。
【００８７】
これによって、給電構造体５４０、接触部５５０、及び放射体５６０が共に動作する。すなわち、アンテナ素子５３０において、２つの共振ループ、すなわち第１共振ループ及び第２共振ループが形成される。
【００８８】
第１共振ループは、共振部５４１、第１接触部５５１、及び第２接触部５５３によって形成される。すなわち、第１共振ループは、給電部５４３、接地部５４５、第１接触部５５１、及び第２接触部５５３を含む。そして、第１共振ループがアンテナ素子５３０の共振周波数帯域で第１共振帯域を決定する。この際、第１共振ループのサイズによって第１共振帯域が決定される。ここで、第１共振ループのサイズは給電部５４３及び接地部５４５のサイズ、給電構造体５４０における第１接触部５５１及び第２接触部５５３の位置及びサイズによって決定される。これによって、第１接触部５５１と第２接触部５５３との間の間隔又は第１接触部５５１及び第２接触部５５３の長さ及び断面積のうち、少なくともいずれか一つによって、第１共振帯域が調節できる。
【００８９】
第２共振ループは、接地部５４５、共振付加部５４７、リアクタンス素子５４９、第２接触部５５３、及び第３接触部５５５によって形成される。すなわち、第２共振ループは、接地部５４５、共振付加部５４７、リアクタンス素子５４９、第２接触部５５３、及び第３接触部５５５を含む。そして、第２共振ループがアンテナ素子５３０の共振周波数帯域で第２共振帯域を決定する。この際、第２共振ループのサイズ及びリアクタンス素子５４９のリアクタンスの長さ及び断面積によって第２共振帯域が決定される。ここで、第２共振ループのサイズは接地部５４５及び共振付加部５４７のサイズ、給電構造体５４０における第２接触部５５３及び第３接触部５５５の位置及びサイズによって決定される。これによって、第２接触部５５３と第３接触部５５５との間の間隔又は第２接触部５５３及び第３接触部５５５の長さ及び断面積のうち、少なくともいずれか一つによって第２共振帯域が調節できる。
【００９０】
これによって、アンテナ装置５００は予め決定された共振周波数帯域で動作する。すなわち、アンテナ装置５００は第１共振ループによって第１共振帯域で共振する。ここで、第１共振帯域が第１共振ループによって決定される。そして、アンテナ装置５００は第２共振ループによって第２共振帯域で共振する。ここで、第２共振帯域が第２共振ループによって決定される。この際、第１接触部５５１、第２接触部５５３、並びに第３接触部５５５の位置及びサイズが初期決定されることによって、第１共振帯域及び第２共振帯域が決定される。
【００９１】
そして、接触部５５０の長さ又は断面積のうち、少なくともいずれか一つが調節されると、第１共振帯域又は第２共振帯域のうち、少なくともいずれか一つが調節できる。この際、第１接触部５５１と第２接触部５５３との間隔が調節されると、第１共振帯域が調節できる。そして、第１接触部５５１及び第２接触部５５３の長さ及び断面積が調節されると、第１共振帯域が調節できる。一方、第２接触部５５３と第３接触部５５５との間隔が調節されると、第２共振帯域が調節できる。そして、第３接触部５５３及び第３接触部５５５の長さ及び断面積が調節されると、第２共振帯域が調節できる。すなわち、アンテナ装置５００の動作性能を維持しながら、第１共振帯域又は第２共振帯域のうち、少なくともいずれか一つを調節できる。ここで、第１共振帯域又は第２共振帯域のうち、少なくともいずれか一つをより低周波帯域に調節してもよいし、より高周波帯域に調節してもよい。
【００９２】
本発明によれば、アンテナ装置１００、２００、３００、４００、５００の共振周波数帯域を容易に調節することができる。すなわち、アンテナ装置１００、２００、３００、４００、５００が共振付加部１４７、２４７、３４７、４４７、５４７を含むことによって、複数個の共振帯域で動作することができる。そして、アンテナ装置１００、２００、３００、４００、５００がリアクタンス素子１４９、２４９、３４９、４４９、５４９を含むことによって、共振帯域のうち、少なくともいずれか一つを容易に調節することができるだけでなく、アンテナ装置１００、２００、３００、４００、５００が接触部１５０、２５０、３５０、４５０、５５０を含むことによって、共振帯域のうち、少なくともいずれか一つを容易に調節することができる。この際、接触部１５０、２５０、３５０、４５０、５５０の位置又はサイズのうち、少なくともいずれか一つによって、共振帯域のうち、少なくともいずれか一つが調節されるため、駆動基板１１０、２１０、３１０、４１０、５１０と実装部材１７０、２７０、３７０、４７０、５７０との間の空間を効率的に用いることができる。これによって、アンテナ装置１００、２００、３００、４００、５００のサイズを大型化しなくても、アンテナ装置１００、２００、３００、４００、５００の共振周波数帯域を調整することができる。
【００９３】
本明細書及び図面に開示された本発明の実施形態は本発明の技術内容を容易に説明し、本発明の理解を助けるために特定例を提示したものに過ぎず、本発明の範囲を限定しようとするものではない。すなわち、本発明の技術的思想に基づいた他の変形例が実施可能であるということは、本発明が属する技術分野で通常の知識を有する者に自明である。
【符号の説明】
【００９４】
１００、２００、３００、４００、５００    アンテナ装置
１１０、２１０、３１０、４１０、５１０    駆動基板
１７０、２７０、３７０、４７０、５７０    実装部材
１４７、２４７、３４７、４４７、５４７    共振付加部
１４９、２４９、３４９、４４９、５４９    リアクタンス素子
１５０、２５０、３５０、４５０、５５０    接触部
【図１】
2014147067.tif 000003
【図２】
2014147067.tif 000004
【図３】
2014147067.tif 000005
【図４】
2014147067.tif 000006
【図５】
2014147067.tif 000007
【図６】
2014147067.tif 000008
【図７】
2014147067.tif 000009